【事件の表示】
　特許第２８９３０２２号「遊技機用の遊技部品及び遊技機」の請求項１ないし５、及び７に係る特許に対する特許異議の申立てについて、次のとおり決定する。
【結　論】
　訂正を認める。
　特許第２８９３０２２号の請求項１ないし４、及び６に係る特許を維持する。
【理　由】
１．手続の経緯
  本件特許第２８９３０２２号の請求項１ないし７に係る発明は、平成１０年５月２９日に特許出願され、平成１１年２月２６日に設定登録された。その後、平成１１年１１月１７日に町田彬より特許異議の申立てがあり、これを受けて平成１２年４月１４日付け取消理由通知がなされ、平成１２年６月２１日付け訂正請求がなされた。
２．訂正の内容とその適否について
（１）訂正の内容
イ．特許請求の範囲の訂正
「【請求項１】遊技盤等の所要部材(5) の装着孔(22)に圧入して装着するようにした遊技機用の遊技部品において、所要部材(5) の装着孔(22)に挿入される遊技部品本体(23)と、この遊技部品本体(23)にその内外方向に出退自在に設けられ且つ装着孔(22)の内面に内側から圧接して該遊技部品本体(23)を所要部材(5) に固定する加圧固定手段(24)(25)と、遊技部品本体(23)を所要部材(5) に対して位置決めする位置決め手段(26)とを備えたことを特徴とする遊技機用の遊技部品。
【請求項２】加圧固定手段(24)(25)は、装着孔(22)の内面に圧接する圧接部(51)(52)と、この圧接部(51)(52)を装着孔(22)の内面に向かって外方に付勢するバネ部(55)(56)とを備え、この加圧固定手段(24)(25)を遊技部品本体(23)に周方向に所定間隔をおいて複数個設けたことを特徴とする請求項１に記載の遊技機用の遊技部品。
【請求項３】加圧固定手段(24)(25)は、両端の圧接部(51)(52)と、この両圧接部(51)(52)間のバネ部(55)(56)とが一体に形成された加圧固定部材(49)(50)を備えたことを特徴とする請求項１又は２に記載の遊技機用の遊技部品。
【請求項４】加圧固定部材(49)(50)を遊技部品本体(23)に間隔を置いて略平行に複数個設けたことを特徴とする請求項１〜３の何れかに記載の遊技機用の遊技部品。
【請求項５】遊技部品本体(23)に、遊技盤(5) の前面に当接する前飾り板(28)を設け、この前飾り板(28)に、遊技盤(5) の位置決め凹部(70)に嵌合する位置決め突部(68)(69)を設け、加圧固定手段(24)(25)に、遊技盤(5) の装着孔(22)の内面側に圧接する時の圧接力により、前飾り板(28)が遊技盤(5) の前面に押圧するように分力を生じさせる傾斜面(51b)(52b)を設けたことを特徴とする請求項１〜４の何れかに記載の遊技機用の遊技部品。
【請求項６】加圧固定部材(49)(50)は、バネ部(55)(56)に抗して圧接部(51)(52)が装着孔(22)の内面から離脱するように遊技盤(5) の裏側から離脱方向に操作可能であることを特徴とする請求項３〜５の何れかに記載の遊技機用の遊技部品。」を、
「【請求項１】遊技盤等の所要部材(5)の装着孔(22)に圧入して装着するようにした遊技機用の遊技部品において、所要部材(5)の装着孔(22)に挿入される遊技部品本体(23)と、この遊技部品本体(23)にその内外方向に出退自在に設けられ且つ装着孔(22)の内面に内側から圧接して該遊技部品本体(23)を所要部材(5)に固定する加圧固定手段(24)(25)と、遊技部品本体(23)を所要部材(5)に対して位置決めする位置決め手段(26)とを備え、加圧固定手段(24)(25)は、両端の圧接部(51)(52)と、この両圧接部(51)(52)間に設けられ且つ各圧接部(51)(52)を装着孔(22)の内面に向かって外方に付勢するバネ部(55)(56)とを一体に有する加圧固定部材(49)(50)を備え、加圧固定部材(49)(50)を遊技部品本体(23)に着脱自在に備えたことを特徴とする遊技機用の遊技部品。
【請求項２】加圧固定部材(49)(50)は、装着孔(22)の内面に圧接する両端の圧接部(51)(52)と、左右中央側の連結部(53)(54)と、この連結部(53)(54)と各圧接部(51)(52)との間に介在され且つ各圧接部(51)(52)を装着孔(22)の内面に向かって外方に付勢するバネ部(55)(56)とを備え、この加圧固定部材(49)(50)を遊技部品本体(23)に周方向に所定間隔をおいて複数個設けたことを特徴とする請求項1に記載の遊技機用の遊技部品。
【請求項３】加圧固定部材(49)(50)を遊技部品本体(23)に間隔を置いて略平行に複数個設けたことを特徴とする請求項1又は2に記載の遊技機用の遊技部品。
【請求項４】遊技部品本体(23)に、遊技盤(5)の前面に当接する前飾り板(28)を設け、この前飾り板(28)に、遊技盤(5)の位置決め凹部(70)に嵌合する位置決め突部(68)(69)を設け、加圧固定手段(24)(25)に、遊技盤(5)の装着孔(22)の内面側に圧接する時の圧接力により、前飾り板(28)が遊技盤(5)の前面に押圧するように分力を生じさせる傾斜面(51b)(52b)を設けたことを特徴とする請求項1〜3の何れかに記載の遊技機用の遊技部品。
【請求項５】加圧固定部材(49)(50)は、バネ部(55)(56)に抗して圧接部(51)(52)が装着孔(22)の内面から離脱するように遊技盤(5)の裏側から離脱方向に操作可能であることを特徴とする請求項1〜4の何れかに記載の遊技機用の遊技部品。
【請求項６】遊技盤等の所要部材(5)の装着孔(22)に圧入して遊技部品(13)を装着した遊技機において、遊技部品(13)は、その遊技部品本体(23)を所要部材(5)の装着孔(22)に挿入した時に両端の圧接部(51)(52)が装着孔(22)の内面に内側から圧接して、該遊技部品本体(23)を所要部材(5)に固定する複数個の加圧固定部材(49)(50)と、遊技部品本体(23)を所要部材(5)に対して位置決めする位置決め手段(26)とを備え、所要部材(5)の装着孔(22)に、加圧固定部材(49)(50)の圧接方向に対して略直角方向の受け部(63)(64)を設け、加圧固定部材(49)(50)は、両端の圧接部(51)(52)と、この両圧接部(51)(52)間に設けられ且つ各圧接部(51)(52)を装着孔(22)の内面に向かって外方に付勢するバネ部(55)(56)とを一体に備え、この加圧固定部材(49)(50)を遊技部品本体(23)に着脱自在に備えたことを特徴とする遊技機。」と訂正し、請求項７を削除する。
ロ．発明の詳細な説明の欄の訂正
（訂正事項１）
「【０００９】
【課題を解決するための手段】
　本発明は、遊技盤等の所要部材5 の装着孔22に圧入して装着するようにした遊技機用の遊技部品において、所要部材5 の装着孔22に挿入される遊技部品本体23と、この遊技部品本体23にその内外方向に出退自在に設けられ且つ装着孔22の内面に内側から圧接して該遊技部品本体23を所要部材5 に固定する加圧固定手段24,25 と、遊技部品本体23を所要部材5 に対して位置決めする位置決め手段26とを備えている。」を、
「【０００９】
【課題を解決するための手段】
　本発明は、遊技盤等の所要部材5の装着孔22に圧入して装着するようにした遊技機用の遊技部品において、所要部材5の装着孔22に挿入される遊技部品本体23と、この遊技部品本体23にその内外方向に出退自在に設けられ且つ装着孔22の内面に内側から圧接して該遊技部品本体23を所要部材5に固定する加圧固定手段24,25と、遊技部品本体23を所要部材5に対して位置決めする位置決め手段26とを備え、加圧固定手段24,25は、両端の圧接部51,52と、この両圧接部51,52間に設けられ且つ各圧接部51,52を装着孔(22)の内面に向かって外方に付勢するバネ部55,56とを一体に有する加圧固定部材49,50を備え、加圧固定部材49,50を遊技部品本体23に着脱自在に備えている。」と訂正する。
（訂正事項２）
「【００５０】
【発明の効果】
  本発明では、遊技盤等の所要部材5 の装着孔22に圧入して装着するようにした遊技機用の遊技部品において、所要部材5 の装着孔22に挿入される遊技部品本体23と、遊技部品本体23にその内外方向に出退自在に設けられ且つ装着孔22の内面に内側から圧接して該遊技部品本体23を所要部材5 に固定する加圧固定手段24,25 と、遊技部品本体23を所要部材5 に対して位置決めする位置決め手段26とを備えているので、大型の遊技部品等であっても、特別な加工精度が要求されることなく、遊技盤等の所要部材5 に圧入により容易に装着でき、しかも装着状態で確実に位置決めできる利点がある。」を、
「【００５０】
【発明の効果】
　本発明では、遊技盤等の所要部材5の装着孔22に圧入して装着するようにした遊技機用の遊技部品において、所要部材5の装着孔22に挿入される遊技部品本体23と、遊技部品本体23にその内外方向に出退自在に設けられ且つ装着孔22の内面に内側から圧接して該遊技部品本体23を所要部材5に固定する加圧固定手段24,25と、遊技部品本体23を所要部材5に対して位置決めする位置決め手段26とを備え、加圧固定手段24,25は、両端の圧接部51,52と、この両圧接部51,52間に設けられ且つ各圧接部51,52を装着孔22の内面に向かって外方に付勢するバネ部55,56とを一体に有する加圧固定部材49,50を備え、加圧固定部材49,50を遊技部品本体23に着脱自在に備えているので、大型の遊技部品等であっても、特別な加工精度が要求されることなく、遊技盤等の所要部材5に圧入により容易に装着でき、しかも装着状態で確実に位置決めできる利点がある。」と訂正する。
（訂正事項３）
「【００５１】
　また加圧固定手段24,25 は、装着孔22の内面に圧接する圧接部51,52 と、この圧接部51,52 を装着孔22の内面に向かって外方に付勢するバネ部55,56 とを備え、この加圧固定手段24,25 を遊技部品本体23に周方向に所定間隔をおいて複数個設けているので、簡単な構造の加圧固定手段24,25 により遊技部品本体23を確実に固定できる。」を、
「【００５１】
　また加圧固定部材49,50は、装着孔22の内面に圧接する両端の圧接部51,52と、左右中央側の連結部53,54と、この連結部53,54と各圧接部51,52との間に介在され且つ各圧接部51,52を装着孔22の内面に向かって外方に付勢するバネ部55,56とを備え、この加圧固定部材49,50を遊技部品本体23に周方向に所定間隔をおいて複数個設けているので、簡単な構造の加圧固定手段24,25により遊技部品本体23を確実に固定できる。」と訂正する。
（訂正事項４）
「【００５６】
　更に遊技盤等の所要部材5 の装着孔22に圧入して遊技部品13を装着した遊技機において、遊技部品13は、その遊技部品本体23を所要部材5 の装着孔22に挿入した時に両端の圧接部51,52 が装着孔22の内面に内側から圧接して、該遊技部品本体23を所要部材5 に固定する複数個の加圧固定部材49,50 と、遊技部品本体23を所要部材5 に対して位置決めする位置決め手段26とを備え、所要部材5 の装着孔22に、加圧固定手段24,25 の圧接方向に対して略直角方向の受け部63,64 を設けているので、大型の遊技部品等であっても、特別な加工精度が要求されることなく、遊技盤等の所要部材5 に圧入により容易に装着できると共に、装着状態で確実に位置決めでき、また加圧固定部材49,50 に曲げ方向の応力が作用することもない。」を、
「【００５６】
　更に遊技盤等の所要部材5の装着孔22に圧入して遊技部品13を装着した遊技機において、遊技部品13は、その遊技部品本体23を所要部材5の装着孔22に挿入した時に両端の圧接部51,52が装着孔22の内面に内側から圧接して、該遊技部品本体23を所要部材5に固定する複数個の加圧固定部材49,50と、遊技部品本体23を所要部材5に対して位置決めする位置決め手段26とを備え、所要部材5の装着孔22に、加圧固定部材49,50の圧接方向に対して略直角方向の受け部63,64を設け、加圧固定部材49,50は、両端の圧接部51,52と、この両圧接部51,52間に設けられ且つ各圧接部51,52を装着孔22の内面に向かって外方に付勢するバネ部55,56とを一体に備え、この加圧固定部材49,50を遊技部品本体23に着脱自在に備えいるので、大型の遊技部品等であっても、特別な加工精度が要求されることなく、遊技盤等の所要部材5に圧入により容易に装着できると共に、装着状態で確実に位置決めでき、また加圧固定部材49,50に曲げ方向の応力が作用することもない。」と訂正する。
（２）訂正の目的の適否及び拡張・変更の存否
　上記特許請求の範囲の訂正内容は、特許明細書及び図面に記載された事項の範囲内であり、かつ特許請求の範囲の減縮に該当し、実質的に特許請求の範囲を拡張・変更するものではない。
　また、同時になされた発明の詳細な説明の欄の訂正内容は、特許明細書及び図面に記載された事項の範囲内であって、上記特許請求の範囲の訂正内容との整合性を図るべく明瞭でない記載の釈明を目的とするものであって、実質上特許請求の範囲を拡張・変更するものではない。
（３）独立特許要件の判断
（３−１）訂正明細書の発明
　訂正明細書の請求項１ないし６に係る発明（以下、第１発明ないし第６発明という）は、前記訂正明細書の特許請求の範囲の請求項１ないし６に記載された事項により特定されるものである。
（３−２）引用刊行物記載の発明
　当審が先の取消理由通知書にて示した本件特許の出願日前に頒布された刊行物である本件特許の出願日前に頒布された刊行物である特開平１０−４３３９５号公報（以下、引用例１という）、及び実願平５−５９１９７号（実開平７−２２７９１号）の全文明細書及び図面を記録したＣＤ−ＲＯＭ（以下、引用例２という）には、それぞれ以下の発明が記載されている。
（引用例１）
「【請求項１】所定部材（６）に装着孔（３５）を形成し、この装着孔（３５）に一部が嵌合するように所定部材（６）に前側から遊技部品（１５）を装着した遊技機において、装着孔（３５）に嵌合する後部材（３９）と、この後部材（３９）に前側から固定具により着脱自在に結合される前部材（３８）とを備え、後部材（３９）を装着孔（３５）に前側から挿入した時に弾性変形して所定部材（６）に後側から係合する係合爪（５０）を該後部材（３９）に設け、前部材（３８）の外周側に、係合爪（５０）が所定部材（６）に係合した時に、所定部材（６）に前側から当接する前フランジ部（４２）を設けたことを特徴とする遊技機。
【請求項２】所定部材（６）の厚さ内の位置で後部材（３９）の外周側に係合爪（５０）を設け、装着孔（３５）の内周側に、係合爪（５０）が後側から係合する段部（５５）を設けたことを特徴とする請求項１に記載の遊技機。」
「【００３６】次に変動図柄表示手段１５を遊技盤６側に押圧して、後部材３９が集合板２７に当接するまで装着孔３５内に押し込む。すると各係合爪５０の傾斜案内面５４が装着孔３５の段部５５の内側に当接して摺動するので、この傾斜案内面５４の傾斜角度に応じて各係合爪５０が内側に弾性変形し、各係合爪５０が装着孔３５の段部５側を無理なく円滑に通過して行く。」
「【００３９】係合爪５０に傾斜案内面５４を形成しているため、後部材３９を装着孔３５内に挿入する時に、係合爪５０が内側に無理なく弾性変形して容易に挿入できる。また係合爪５０には傾斜当接面５６があるため、係合爪５０の弾性変形による復元量をある程度確保しておけば、各部に多少の製作誤差等がある場合でも、後部材３９が集合板２７に当接するか、又は前部材３８の前フランジ部４２が遊技盤６に当接した状態で係合爪５０を確実に段部５５に係合させることが可能であり、変動図柄表示手段１５を遊技盤６に確実に固定できる。」
（引用例２）
「【０００７】図１−３は第１実施例の役物ａを示し、この役物は取付板１の正面に打玉が当たって左右何れの方向にも回転する公知のパチンコ機用風車を示すもので、前記取付板１の表裏に回転軸３の軸支筒２を形成し、回転軸３に打玉が当たる３枚の羽根４と回転円板５の一体成形物を固定してなる。取付板１の裏面に左右２個の短い位置決め突起片６、６を形成し、それより各内方（軸支筒２と位置決め突起片６の間）に、ベニヤ板２１の厚さより僅かに長い各２つ割り平行の二個の弾力脚７、７を図２のように後方に向けて設け、弾力脚７、７の突出端外方に、ベニヤ板２１に形成する後記の弾力脚挿入孔２２の後側縁に係止する係合突起８、８を設け、各係合突起８、８に挿入案内９、９を形成する。」
「【０００９】図５は第１実施例の役物ａを取付けるベニヤ板２１を示すもので、二個の弾力脚７、７を嵌める円形の弾力脚挿入孔２２と、位置決め突起片６、６を嵌める二個の位置決め孔２３、２３とを設ける。このベニヤ板２１には、位置決め孔２３、２３に位置決め突起片６、６を嵌め、弾力脚挿入孔２２に二個の弾力脚７、７を嵌め、該挿入孔２２の後方孔縁に係合突起８、８を図３のように係止する。」
（３−３）対比判断
　上記引用例１記載の構成要素である所定部材（６）、装着孔（３５）、遊技部品（１５）、係合爪（５０）、前部材（３８）、段部（５５）、傾斜案内面（５４）は、それぞれ本件発明の構成要素である所要部材（５）、装着孔（２２）、遊技部品本体（２２）、加圧固定手段（２４）（２５）及びバネ部（５５）（５６）、前飾り板（２８）、受け部（６３）（６４）、圧接部（５１）（５２）に対応相当するものであるり、また引用例２記載の構成要素である位置決め突起片６、位置決め孔２３は、それぞれ本件第１発明ないし第４発明、及び第６発明の構成要素である位置決め手段（２６）及び位置決め突部（６８）（６９）、位置決め凹部（７０）に相当するものである。
　そこで、本件第１発明及び第６発明と引用例１及び２に記載の発明とを対比すると、上記各構成要素の対応関係から見て、引用例１及び２には、「遊技盤等の所要部材の装着孔に圧入して装着するようにした遊技機用の遊技部品」及び「遊技盤等の所要部材の装着孔に圧入して遊技部品を装着した遊技機」であって、「所要部材の装着孔に挿入される遊技部品本体と、この遊技部品本体にその内外方向に出退自在に設けられ且つ装着孔の内面に内側から圧接して該遊技部品本体を所要部材に固定する加圧固定手段と、遊技部品本体を所要部材に対して位置決めする位置決め手段」を備える構成が開示されているに止まり、本件第１発明及び第６発明で特定する「加圧固定手段は、両端の圧接部と、この両圧接部間に設けられ且つ各圧接部を装着孔の内面に向かって外方に付勢するバネ部とを一体に有する加圧固定部材を備え、加圧固定部材を遊技部品本体に着脱自在に備えた」とする構成、及びそれを示唆する記載もない。
　そして、本件第１発明及び第６発明は、この構成によって「大型部品であっても、特別な加工精度が要求されることなく、遊技盤等の所要部材に圧入により容易に装着できる」という明細書記載の格別の効果を奏するものと認められるから、引用例１及び２に記載の発明から容易になし得たものと言うことはできない。
　また、第２発明ないし第５発明は、いずれも第１発明を引用する発明であるから、引用例１及び２に記載の発明から容易になし得たものとすることはできない。
　したがって、本件第１発明ないし第６発明は、いずれも特許出願の際独立して特許を受けることができるものである。
（４）むすび
　以上のとおり、上記訂正の内容は特許法第１２０条の４第２項及び同条第３項で準用する同法第１２６条第２ないし４項の規定に適合するから、当該訂正請求を認める。
３．特許異議の申立てについての判断
（１）申立て理由の概要
  申立人町田彬は、本件特許の請求項１、３、４、５に係る発明は、本件特許の出願日前に頒布された甲第１号証に記載された発明であるから特許法第２９条第１項第３号の規定に違反して、また請求項１ないし５及び７に係る発明は甲第１号証ないし甲第８号証に記載された発明から容易になし得たものであるから、特許法第２９条第２項の規定に違反して特許されたものである。したがって、本件の請求項１ないし５及び７に係る発明の特許は、同法第１１３条第１項第２号の規定により取り消されるべきである旨主張している。
（２）訂正後の本件請求項１ないし４、及び６に係る発明
　本件特許の請求項１ないし４、及び６に係る発明（以下、本件第１発明ないし第４発明、及び第６発明という）は、訂正明細書の特許請求の範囲の請求項１ないし４、及び６に記載されたとおりのものである（前記２．（３−１）訂正明細書の発明参照）。
　なお、本件第５発明は特許査定時の請求項６に係る発明であり、異議申立ての対象外であるため、その判断を行わない。
（３）証拠及び対比・判断
　申立人町田彬が提出した甲第８号証は、当審による先の取消理由で示した引用例１であり、甲第１号証は同引用例２である。そして、前記２．（３）独立特許要件で示したように、本件第１ないし第４発明及び第６発明は、甲第１号証及び甲第８号証記載の発明であるとも、またこれらの発明から容易になし得たとすることはできない。
　また、甲第２号証（特開平８−７９９号公報）、甲第３号証（実願昭６１−６６９０９号（実開昭６２−１８０４８４号）の全文マイクロフィルム）、甲第４号証（特開平７−１９４７７５号公報）、甲第５号証（実願昭６２−１６５５３号（実開昭６３−１２４９８０号）の全文マイクロフィルム）、甲第６号証（特開平５−２９３２１１号公報、甲第７号証（特開平９−７５５２４号公報）には、遊技盤及び遊技盤に装着する遊技部品を、弾性変形を利用して着脱自在に圧入する取り付け手法に関する発明がそれぞれ記載されているが、本件第１発明及び第６発明で特定する「加圧固定手段は、両端の圧接部と、この両圧接部間に設けられ且つ各圧接部を装着孔の内面に向かって外方に付勢するバネ部とを一体に有する加圧固定部材を備え、加圧固定部材を遊技部品本体に着脱自在に備えた」とする構成、及びそれを示唆する記載もない。
　そして、本件第１発明及び第６発明は、この構成によって「大型部品であっても、特別な加工精度が要求されることなく、遊技盤等の所要部材に圧入により容易に装着できる」という明細書記載の格別の効果を奏するものと認められるから、甲第１号証ないし甲第８号証に記載の発明から容易になし得たものと言うことはできない。
　また、第２発明ないし第４発明は、いずれも第１発明を引用する発明であるから、甲第１号証ないし甲第８号証に記載の発明であるとも、また同発明から容易になし得たものとすることはできない。
（４）むすび
　以上のとおり、申立人が主張する各理由及び各証拠によっては、本件発明に係る特許を取り消すことはできない。
　さらに、本件発明に係る特許を取り消すべき他の理由を発見しない。
　よって、結論のとおり決定する。
【異議決定日】
平成１２年８月２３日（２０００．８．２３）
【訂正の要旨】
訂正の要旨
１．特許請求の範囲の訂正
「【請求項１】遊技盤等の所要部材（５）の装着孔（２２）に圧入して装着するようにした遊技機用の遊技部品において、所要部材（５）の装着孔（２２）に挿入される遊技部品本体（２３）と、この遊技部品本体（２３）にその内外方向に出退自在に設けられ且つ装着孔（２２）の内面に内側から圧接して該遊技部品本体（２３）を所要部材（５）に固定する加圧固定手段（２４）（２５）と、遊技部品本体（２３）を所要部材（５）に対して位置決めする位置決め手段（２６）とを備えたことを特徴とする遊技機用の遊技部品。
　【請求項２】加圧固定手段（２４）（２５）は、装着孔（２２）の内面に圧接する圧接部（５１）（５２）と、この圧接部（５１）（５２）を装着孔（２２）の内面に向かって外方に付勢するバネ部（５５）（５６）とを備え、この加圧固定手段（２４）（２５）を遊技部品本体（２３）に周方向に所定間隔をおいて複数個設けたことを特徴とする請求項１に記載の遊技機用の遊技部品。
　【請求項３】加圧固定手段（２４）（２５）は、両端の圧接部（５１）（５２）と、この両圧接部（５１）（５２）間のバネ部（５５）（５６）とが一体に形成された加圧固定部材（４９）（５０）を備えたことを特徴とする請求項１又は２に記載の遊技機用の遊技部品。
　【請求項４】加圧固定部材（４９）（５０）を遊技部品本体（２３）に間隔を置いて略平行に複数個設けたことを特徴とする請求項１〜３の何れかに記載の遊技機用の遊技部品。
　【請求項５】遊技部品本体（２３）に、遊技盤（５）の前面に当接する前飾り板（２８）を設け、この前飾り板（２８）に、遊技盤（５）の位置決め凹部（７０）に嵌合する位置決め突部（６８）（６９）を設け、加圧固定手段（２４）（２５）に、遊技盤（５）の装着孔（２２）の内面側に圧接する時の圧接力により、前飾り板（２８）が遊技盤（５）の前面に押圧するように分力を生じさせる傾斜面（５１ｂ）（５２ｂ）を設けたことを特徴とする請求項１〜４の何れかに記載の遊技機用の遊技部品。
　【請求項６】加圧固定部材（４９）（５０）は、バネ部（５５）（５６）に抗して圧接部（５１）（５２）が装着孔（２２）の内面から離脱するように遊技盤（５）の裏側から離脱方向に操作可能であることを特徴とする請求項３〜５の何れかに記載の遊技機用の遊技部品。」を、
「【請求項１】遊技盤等の所要部材（５）の装着孔（２２）に圧入して装着するようにした遊技機用の遊技部品において、所要部材（５）の装着孔（２２）に挿入される遊技部品本体（２３）と、この遊技部品本体（２３）にその内外方向に出退自在に設けられ且つ装着孔（２２）の内面に内側から圧接して該遊技部品本体（２３）を所要部材（５）に固定する加圧固定手段（２４）（２５）と、遊技部品本体（２３）を所要部材（５）に対して位置決めする位置決め手段（２６）とを備え、加圧固定手段（２４）（２５）は、両端の圧接部（５１）（５２）と、この両圧接部（５１）（５２）間に設けられ且つ各圧接部（５１）（５２）を装着孔（２２）の内面に向かって外方に付勢するバネ部（５５）（５６）とを一体に有する加圧固定部材（４９）（５０）を備え、加圧固定部材（４９）（５０）を遊技部品本体（２３）に着脱自在に備えたことを特徴とする遊技機用の遊技部品。
　【請求項２】加圧固定部材（４９）（５０）は、装着孔（２２）の内面に圧接する両端の圧接部（５１）（５２）と、左右中央側の連結部（５３）（５４）と、この連結部（５３）（５４）と各圧接部（５１）（５２）との間に介在され且つ各圧接部（５１）（５２）を装着孔（２２）の内面に向かって外方に付勢するバネ部（５５）（５６）とを備え、この加圧固定部材（４９）（５０）を遊技部品本体（２３）に周方向に所定間隔をおいて複数個設けたことを特徴とする請求項１に記載の遊技機用の遊技部品。
　【請求項３】加圧固定部材（４９）（５０）を遊技部品本体（２３）に間隔を置いて略平行に複数個設けたことを特徴とする請求項１又は２に記載の遊技機用の遊技部品。
　【請求項４】遊技部品本体（２３）に、遊技盤（５）の前面に当接する前飾り板（２８）を設け、この前飾り板（２８）に、遊技盤（５）の位置決め凹部（７０）に嵌合する位置決め突部（６８）（６９）を設け、加圧固定手段（２４）（２５）に、遊技盤（５）の装着孔（２２）の内面側に圧接する時の圧接力により、前飾り板（２８）が遊技盤（５）の前面に押圧するように分力を生じさせる傾斜面（５１ｂ）（５２ｂ）を設けたことを特徴とする請求項１〜３の何れかに記載の遊技機用の遊技部品。
　【請求項５】加圧固定部材（４９）（５０）は、バネ部（５５）（５６）に抗して圧接部（５１）（５２）が装着孔（２２）の内面から離脱するように遊技盤（５）の裏側から離脱方向に操作可能であることを特徴とする請求項１〜４の何れかに記載の遊技機用の遊技部品。
　【請求項６】遊技盤等の所要部材（５）の装着孔（２２）に圧入して遊技部品（１３）を装着した遊技機において、遊技部品（１３）は、その遊技部品本体（２３）を所要部材（５）の装着孔（２２）に挿入した時に両端の圧接部（５１）（５２）が装着孔（２２）の内面に内側から圧接して、該遊技部品本体（２３）を所要部材（５）に固定する複数個の加圧固定部材（４９）（５０）と、遊技部品本体（２３）を所要部材（５）に対して位置決めする位置決め手段（２６）とを備え、所要部材（５）の装着孔（２２）に、加圧固定部材（４９）（５０）の圧接方向に対して略直角方向の受け部（６３）（６４）を設け、加圧固定部材（４９）（５０）は、両端の圧接部（５１）（５２）と、この両圧接部（５１）（５２）間に設けられ且つ各圧接部（５１）（５２）を装着孔（２２）の内面に向かって外方に付勢するバネ部（５５）（５６）とを一体に備え、この加圧固定部材（４９）（５０）を遊技部品本体（２３）に着脱自在に備えたことを特徴とする遊技機。」と訂正し、請求項７を削除する。
２．発明の詳細な説明の欄の訂正
（訂正事項１）
「【０００９】
　【課題を解決するための手段】
　本発明は、遊技盤等の所要部材５の装着孔２２に圧入して装着するようにした遊技機用の遊技部品において、所要部材５の装着孔２２に挿入される遊技部品本体２３と、この遊技部品本体２３にその内外方向に出退自在に設けられ且つ装着孔２２の内面に内側から圧接して該遊技部品本体２３を所要部材５に固定する加圧固定手段２４，２５と、遊技部品本体２３を所要部材５に対して位置決めする位置決め手段２６とを備えている。」を、
「【０００９】
　【課題を解決するための手段】
　本発明は、遊技盤等の所要部材５の装着孔２２に圧入して装着するようにした遊技機用の遊技部品において、所要部材５の装着孔２２に挿入される遊技部品本体２３と、この遊技部品本体２３にその内外方向に出退自在に設けられ且つ装着孔２２の内面に内側から圧接して該遊技部品本体２３を所要部材５に固定する加圧固定手段２４，２５と、遊技部品本体２３を所要部材５に対して位置決めする位置決め手段２６とを備え、加圧固定手段２４，２５は、両端の圧接部５１，５２と、この両圧接部５１，５２間に設けられ且つ各圧接部５１，５２を装着孔（２２）の内面に向かって外方に付勢するバネ部５５，５６とを一体に有する加圧固定部材４９，５０を備え、加圧固定部材４９，５０を遊技部品本体２３に着脱自在に備えている。」と訂正する。
（訂正事項２）
「【００５０】
　【発明の効果】
　本発明では、遊技盤等の所要部材５の装着孔２２に圧入して装着するようにした遊技機用の遊技部品において、所要部材５の装着孔２２に挿入される遊技部品本体２３と、遊技部品本体２３にその内外方向に出退自在に設けられ且つ装着孔２２の内面に内側から圧接して該遊技部品本体２３を所要部材５に固定する加圧固定手段２４，２５と、遊技部品本体２３を所要部材５に対して位置決めする位置決め手段２６とを備えているので、大型の遊技部品等であっても、特別な加工精度が要求されることなく、遊技盤等の所要部材５に圧入により容易に装着でき、しかも装着状態で確実に位置決めできる利点がある。」を、
「【００５０】
　【発明の効果】
　本発明では、遊技盤等の所要部材５の装着孔２２に圧入して装着するようにした遊技機用の遊技部品において、所要部材５の装着孔２２に挿入される遊技部品本体２３と、遊技部品本体２３にその内外方向に出退自在に設けられ且つ装着孔２２の内面に内側から圧接して該遊技部品本体２３を所要部材５に固定する加圧固定手段２４，２５と、遊技部品本体２３を所要部材５に対して位置決めする位置決め手段２６とを備え、加圧固定手段２４，２５は、両端の圧接部５１，５２と、この両圧接部５１，５２間に設けられ且つ各圧接部５１，５２を装着孔２２の内面に向かって外方に付勢するバネ部５５，５６とを一体に有する加圧固定部材４９，５０を備え、加圧固定部材４９，５０を遊技部品本体２３に着脱自在に備えているので、大型の遊技部品等であっても、特別な加工精度が要求されることなく、遊技盤等の所要部材５に圧入により容易に装着でき、しかも装着状態で確実に位置決めできる利点がある。」と訂正する。
（訂正事項３）
「【００５１】
　また加圧固定手段２４，２５は、装着孔２２の内面に圧接する圧接部５１，５２と、この圧接部５１，５２を装着孔２２の内面に向かって外方に付勢するバネ部５５，５６とを備え、この加圧固定手段２４，２５を遊技部品本体２３に周方向に所定間隔をおいて複数個設けているので、簡単な構造の加圧固定手段２４，２５により遊技部品本体２３を確実に固定できる。」を、
「【００５１】
　また加圧固定部材４９，５０は、装着孔２２の内面に圧接する両端の圧接部５１，５２と、左右中央側の連結部５３，５４と、この連結部５３，５４と各圧接部５１，５２との間に介在され且つ各圧接部５１，５２を装着孔２２の内面に向かって外方に付勢するバネ部５５，５６とを備え、この加圧固定部材４９，５０を遊技部品本体２３に周方向に所定間隔をおいて複数個設けているので、簡単な構造の加圧固定手段２４，２５により遊技部品本体２３を確実に固定できる。」と訂正する。
（訂正事項４）
「【００５６】
　更に遊技盤等の所要部材５の装着孔２２に圧入して遊技部品１３を装着した遊技機において、遊技部品１３は、その遊技部品本体２３を所要部材５の装着孔２２に挿入した時に両端の圧接部５１，５２が装着孔２２の内面に内側から圧接して、該遊技部品本体２３を所要部材５に固定する複数個の加圧固定部材４９，５０と、遊技部品本体２３を所要部材５に対して位置決めする位置決め手段２６とを備え、所要部材５の装着孔２２に、加圧固定手段２４，２５の圧接方向に対して略直角方向の受け部６３，６４を設けているので、大型の遊技部品等であっても、特別な加工精度が要求されることなく、遊技盤等の所要部材５に圧入により容易に装着できると共に、装着状態で確実に位置決めでき、また加圧固定部材４９，５０に曲げ方向の応力が作用することもない。」を、
「【００５６】
　更に遊技盤等の所要部材５の装着孔２２に圧入して遊技部品１３を装着した遊技機において、遊技部品１３は、その遊技部品本体２３を所要部材５の装着孔２２に挿入した時に両端の圧接部５１，５２が装着孔２２の内面に内側から圧接して、該遊技部品本体２３を所要部材５に固定する複数個の加圧固定部材４９，５０と、遊技部品本体２３を所要部材５に対して位置決めする位置決め手段２６とを備え、所要部材５の装着孔２２に、加圧固定部材４９，５０の圧接方向に対して略直角方向の受け部６３，６４を設け、加圧固定部材４９，５０は、両端の圧接部５１，５２と、この両圧接部５１，５２間に設けられ且つ各圧接部５１，５２を装着孔２２の内面に向かって外方に付勢するバネ部５５，５６とを一体に備え、この加圧固定部材４９，５０を遊技部品本体２３に着脱自在に備えいるので、大型の遊技部品等であっても、特別な加工精度が要求されることなく、遊技盤等の所要部材５に圧入により容易に装着できると共に、装着状態で確実に位置決めでき、また加圧固定部材４９，５０に曲げ方向の応力が作用することもない。」と訂正する。
（５４）【発明の名称】
遊技機用の遊技部品及び遊技機
（５７）【特許請求の範囲】
　　【請求項１】　遊技盤等の所要部材（５）の装着孔（２２）に圧入して装着するようにした遊技機用の遊技部品において、所要部材（５）の装着孔（２２）に挿入される遊技部品本体（２３）と、この遊技部品本体（２３）にその内外方向に出退自在に設けられ且つ装着孔（２２）の内面に内側から圧接して該遊技部品本体（２３）を所要部材（５）に固定する加圧固定手段（２４）（２５）と、遊技部品本体（２３）を所要部材（５）に対して位置決めする位置決め手段（２６）とを
備え、加圧固定手段（２４）（２５）は、両端の圧接部（５１）（５２）と、この両圧接部（５１）（５２）間に設けられ且つ各圧接部（５１）（５２）を装着孔（２２）の内面に向かって外方に付勢するバネ部（５５）（５６）とを一体に有する加圧固定部材（４９）（５０）を備え、加圧固定部材（４９）（５０）を遊技部品本体（２３）に着脱自在に備えた
　　【請求項２】　
加圧固定部材（４９）（５０）は、装着孔（２２）の内面に圧接する両端の圧接部（５１）（５２）と、左右中央側の連結部（５３）（５４）と、この連結部（５３）（５４）と各圧接部（５１）（５２）との間に介在され且つ各圧接部（５１）（５２）を装着孔（２２）の内面に向かって外方に付勢するバネ部（５５）（５６）とを備え、この加圧固定部材（４９）（５０）
　　【請求項３】　
加圧固定部材（４９）（５０）を遊技部品本体（２３）に間隔を置いて略平行に複数個設け
　　【請求項４】　
遊技部品本体（２３）に、遊技盤（５）の前面に当接する前飾り板（２８）を設け、この前飾り板（２８）に、遊技盤（５）の位置決め凹部（７０）に嵌合する位置決め突部（６８）（６９）を設け、加圧固定手段（２４）（２５）に、遊技盤（５）の装着孔（２２）の内面側に圧接する時の圧接力により、前飾り板（２８）が遊技盤（５）の前面に押圧するように分力を生じさせる傾斜面（５１ｂ）（５２ｂ）を
　　【請求項５】　
加圧固定部材（４９）（５０）は、バネ部（５５）（５６）に抗して圧接部（５１）（５２）が装着孔（２２）の内面から離脱するように遊技盤（５）の裏側から離脱方向に操作可能である
　　【請求項６】　
遊技盤等の所要部材（５）の装着孔（２２）に圧入して遊技部品（１３）を装着した遊技機において、遊技部品（１３）は、その遊技部品本体（２３）を所要部材（５）の装着孔（２２）に挿入した時に両端の圧接部（５１）（５２）が装着孔（２２）の内面に内側から圧接して、該遊技部品本体（２３）を所要部材（５）に固定する複数個の加圧固定部材（４９）（５０）と、遊技部品本体（２３）を所要部材（５）に対して位置決めする位置決め手段（２６）とを備え、所要部材（５）の装着孔（２２）に、加圧固定部材（４９）（５０）の圧接方向に対して略直角方向の受け部（６３）（６４）を設け、加圧固定部材（４９）（５０）は、両端の圧接部（５１）（５２）と、この両圧接部（５１）（５２）間に設けられ且つ各圧接部（５１）（５２）を装着孔（２２）の内面に向かって外方に付勢するバネ部（５５）（５６）とを一体に備え、この加圧固定部材（４９）（５０）を遊技部品本体（２３）に着脱自在に備えたことを特徴とする遊技機。
【発明の詳細な説明】
　　　【０００１】
　　【発明の属する技術分野】
　本発明は、遊技機用の遊技部品及び遊技機に関するものである。
　　　【０００２】
　　【従来の技術】
　パチンコ機、アレンジボール機等の弾球遊技機においては、遊技盤にガイドレールを装着し、このガイドレールの内側に入賞手段、液晶式表示手段、ランプ風車、コーナーランプ等の各種の遊技部品を配置している。
　　　【０００３】
　この種の遊技部品を遊技盤に装着する場合の装着形態として、ランプ風車等のような比較的小さい遊技部品では、圧入方式を採用したものが提案されている。従来の圧入方式は、前飾り板から後方に突出する左右一対の圧入ピンを設け、この圧入ピンを遊技盤側のピン孔に圧入する方式が採用されている。
　　　【０００４】
　即ち、遊技部品側には、遊技盤の装着孔に嵌合する嵌合胴部の前端側にフランジ状の前飾り板が設けられ、この前飾り板から後方に突出するように左右対の圧入ピンが設けられている。一方、遊技盤側には、装着孔の左右両側に、各圧入ピンに対応するピン孔が形成されている。そして、遊技部品を遊技盤に装着する場合には、嵌合胴部を装着孔に合わせた状態で、各圧入ピンの先端を遊技盤側のピン孔に合わせた後、前飾り板側を遊技盤側に押圧して圧入ピンをピン孔内に圧入している。
　　　【０００５】
　　【発明が解決しようとする課題】
　従来の圧入方式は、ランプ風車等のような比較的小さい遊技部品を対象としたものであり、例えば遊技盤の中央部に配置される中央入賞手段、液晶式表示手段等の大型の遊技部品の場合には、採用し難い欠点がある。
　　　【０００６】
　即ち、従来の圧入方式では、圧入ピンとピン孔とを合わせた状態で各圧入ピンを均等に加圧しながら圧入する必要がある。しかし、大型の遊技部品の場合には、圧入ピン及びピン孔の数が増えるため、その圧入ピンとピン孔との位置合わせが困難であると共に、各圧入ピンの均等な加圧が困難であり、圧入作業が煩雑になる欠点がある。
　　　【０００７】
　また各圧入ピン間の間隔とピン孔の間隔とを完全に一致させる必要がある。しかし、大型の遊技部品の場合には、圧入ピン及びピン孔の数が増えるため、その間隔を完全に一致させることが非常に困難であり、両者の間隔にバラツキ等があれば、圧入ピンの変形又は折損等により、遊技部品を遊技盤に確実に固定できない恐れがある。このため、遊技部品側の圧入ピン間の間隔、遊技盤側のピン孔間の間隔に非常な精度が要求される欠点がある。
　　　【０００８】
　本発明は、このような従来の課題に鑑み、大型の遊技部品等であっても、特別な加工精度が要求されることなく、遊技盤等の所要部材に圧入により容易に装着でき、しかも装着状態で確実に位置決めできる遊技機用の遊技部品及び遊技機を提供することを目的とする。
　　　【０００９】
　　【課題を解決するための手段】
　本発明は、遊技盤等の所要部材５の装着孔２２に圧入して装着するようにした遊技機用の遊技部品において、所要部材５の装着孔２２に挿入される遊技部品本体２３と、この遊技部品本体２３にその内外方向に出退自在に設けられ且つ装着孔２２の内面に内側から圧接して該遊技部品本体２３を所要部材５に固定する加圧固定手段２４，２５と、遊技部品本体２３を所要部材５に対して位置決めする位置決め手段２６とを
備え、加圧固定手段２４，２５は、両端の圧接部５１，５２と、この両圧接部５１，５２間に設けられ且つ各圧接部５１，５２を装着孔（２２）の内面に向かって外方に付勢するバネ部５５，５６とを一体に有する加圧固定部材４９，５０を備え、加圧固定部材４９，５０を遊技部品本体２３に着脱自在に備え
　　　【００１０】
　　【発明の実施の形態】
　以下、本発明の実施の形態を図面に基づいて詳述する。
　　　【００１１】
　図面は本発明の一実施形態を例示する。図１はパチンコ機の全体を示し、図１において、１は外枠、２は前枠で、外枠１の前面側に開閉自在に枢着されている。前枠２にはガラス扉３及び前面板４が開閉自在に装着され、これらに対応して前枠２の裏側に遊技盤５が着脱自在に装着されている。
　　　【００１２】
　前面板４には上皿６が装着され、この上皿６に球抜きレバー７が設けられている。前枠２の下部には下皿８と発射手段９の発射ハンドル１０とが設けられている。発射手段９は発射ハンドル１０を操作した時に、上皿６から１個づつ供給される遊技球を打撃槌で打撃して、その遊技球を遊技盤５側に発射させるようになっている。
　　　【００１３】
　遊技盤５は、図２に示すようにベニヤ板等を略正方形状に切断したものであって、発射手段９により発射された遊技球を案内するガイドレール１１が環状に装着され、そのガイドレール１１の内側の遊技領域１２に液晶式表示手段１３、始動入賞手段１４、上入賞手段１５、下入賞手段１６、ゲート手段１７、大入賞手段１８及びランプ風車２０等の各遊技部品が配置され、また大入賞手段１８の下側中央にアウト球口２１が形成されている。
　　　【００１４】
　液晶式表示手段１３は、始動入賞手段１４に遊技球が入賞した時に変動する図柄を表示する図柄表示手段等を構成するものであって、遊技盤５の遊技領域１２の左右方向の中央部に配置され、その下側に始動入賞手段１４と大入賞手段１８とが上下に配置されている。
　　　【００１５】
　液晶式表示手段１３は、図３〜図８に示すように、遊技盤５の装着孔２２に前側から挿脱自在に挿入された遊技部品本体２３と、この遊技部品本体２３の上下両側に設けられ且つ装着孔２２の内面に内側から圧接して該遊技部品本体２３を遊技盤５に固定する加圧固定手段２４，２５と、遊技部品本体２３を遊技盤５に対して位置決めする位置決め手段２６とを備え、遊技盤５に形成された装着孔２２に嵌合して圧入により着脱自在に固定されている。
　　　【００１６】
　遊技部品本体２３は、図３〜図５に示すように、内部に矩形状の表示窓３０が形成された支持枠体２７と、この支持枠体２７の前端側に固定された前飾り板２８と、前飾り板２８に装着された廂部２９と、支持枠体２７の表示窓３０に対応して装着された窓板３１と、窓板３１を介して支持枠体２７の裏側に装着された液晶表示部３２と、この液晶表示部３２を駆動する駆動ユニット３３とを備えている。なお、液晶表示部３２と駆動ユニット３３は、液晶ケース３４を介して支持枠体２７に裏側から着脱自在に装着されている。
　　　【００１７】
　支持枠体２７は装着孔２２に嵌合する大きさの矩形枠状であって、この支持枠体２７内の表示窓３０の下側に、前側から裏側へと張り出すステージ収容部３５が設けられ、また前端側の外周に取り付けベース兼用の前飾り板２８が装着されている。ステージ収容部３５には、遊技球を遊技盤５の前側に落下させる球案内ステージ３６が前側から装着されている。球案内ステージ３６は後端から上側に屈曲する後壁板３７を一体に備え、この後壁板３７側がネジ３８によりステージ収容部３５の後壁６１に着脱自在に固定されている。
　　　【００１８】
　なお、後壁板３７の裏側には、左右方向に複数個の表示ランプ３９を備えた基板４０に装着されている。基板４０は、後壁６１に形成された開口６１ａに前側から出し入れ自在であり、球案内ステージ３６を装着した状態ではステージ収容部３５の後壁６１よりも後方に突出している。
　　　【００１９】
　廂部２９は前飾り板２８の前方に突出しており、支持枠体２７の前上側から左右両側に跨がって逆Ｕ字状に設けられている。廂部２９の上部中央には、動物等をあしらったキャラクター部４１が設けられると共に、このキャラクター部４１の下側内部に、左右方向の複数個の表示ランプ４２ａが配置されている。なお、各表示ランプ４２ａは基板４３ａに装着され、その基板４３ａが支持枠体２７の上部に前側から取り付けられている。
　　　【００２０】
　廂部２９には、遊技盤５に沿って斜め上方から落下する遊技球が入るように、その左右両側の下部側に入口４２が形成されている。各入口４２は、支持枠体２７の左右両側の通過路４４を介して球案内ステージ３６に遊技球を案内するようになっている。
　　　【００２１】
　通過路４４は、支持枠体２７の左右両側に通路壁４５により上下方向に形成されており、上端側が前側に屈曲する上屈曲通路部４６を介して入口４２に、下端側が裏下側に屈曲する下屈曲通路部４７を介して出口４８に夫々接続されている。出口４８は、図５及び図８に示すように、球案内ステージ３６の後部側の左右両側で内向きに開口され、通過路４４からの遊技球を左右両側から球案内ステージ３６上に案内するようになっている。なお、下屈曲通路部４７側には、通過路４４と球案内ステージ３６側の出口４８とを接続するように屈曲カバー５７が設けられている。
　　　【００２２】
　各加圧固定手段２４，２５は、図６及び図８に示すように、合成樹脂材料によって一体成形された合成樹脂製の加圧固定部材４９，５０を備え、その各加圧固定部材４９，５０は装着孔２２の内面側に圧接する左右両端側の圧接部５１，５２と、左右中央側の連結部５３，５４と、この連結部５３，５４と各圧接部５１，５２との間に介在され且つ各圧接部５１，５２を装着孔２２の内面に向かって外方に付勢するバネ部５５，５６とを有する。
　　　【００２３】
　なお、各加圧固定部材４９，５０を左右に分離して夫々２個と見た場合、圧接部５１，５２とバネ部５５，５６とを備えた加圧固定手段２４，２５が遊技部品本体２３に周方向に所定間隔をおいて複数個（４個）配置されている。
　　　【００２４】
　上側の加圧固定部材４９は、図６の（Ａ）及び（Ｂ）に示すように、左右方向に長く形成された全体として略帯状であって、支持枠体２７の上部側に左右方向に形成された保持部５８内に左右方向に摺動自在に挿入されている。各圧接部５１の外端には、後側に圧入用の案内傾斜面５１ａが、前側に圧接固定用の圧接傾斜面５１ｂが夫々形成されており、この圧接部５１はその各傾斜面５１ａ，５１ｂが遊技部品本体２３に対して左右方向（内外方向）に出退すべく保持部５８に摺動自在に挿入されている。バネ部５５は各圧接部５１と連結部５３とを連結するようにΩ状等に屈曲形成されている。
　　　【００２５】
　保持部５８は支持枠体２７の上面との間で加圧固定部材４９を保持するように、その連結部５３と各圧接部５１とに対応して左右方向に３個設けられている。中央の保持部５８の後壁には、左右方向に間隔をおいて一対の小さい突起５８ａが形成され、一方、連結部５３の裏面にはその両突起５８ａ間に位置する小さい突部５３ａが形成され、これら突部５３ａ，５８ａによって加圧固定部材４９の保持部５８からの脱落を阻止するようになっている。
　　　【００２６】
　下側の加圧固定部材５０は、図７及び図８に示すように、ステージ収容部３５の裏側で左右方向に延びる連結部５４と、この連結部５４の左右両端側からバネ部５６を介してステージ収容部３５に沿って前側へと屈曲する操作部５９と、操作部５９の前端側の圧接部５２とを一体に備え、支持枠体２７の下部のステージ収容部３５に対応して略コ字状に形成されている。
　　　【００２７】
　連結部５４はステージ収容部３５の後壁６１側に突出する左右一対の突起６０を有し、その各突起６０がステージ収容部３５の後壁６１側の長孔６２に左右摺動自在に挿入されている。各バネ部５６は連結部５４の両端に半円状に形成され、このバネ部５６の他端側から前方に各操作部５９が突出している。
　　　【００２８】
　各圧接部５２の外端には、後側に圧入用の案内傾斜面５２ａが、前側に圧接固定用の圧接傾斜面５２ｂが夫々形成されている。各圧接部５２には、左右方向の長孔６５が形成され、この長孔６５に、支持枠体２７の下面に突設された突起６６が左右摺動自在に挿入されている。なお、長孔６２，６５と突起６０，６６とにより、下側の加圧固定部材５０を支持枠体２７の下部側で着脱自在に保持する保持部が構成されている。
　　　【００２９】
　操作部５９は、液晶式表示手段１３を遊技盤５から離脱する時に、遊技盤５の裏側から加圧固定部材５０を離脱方向に操作するためのものであって、ステージ収容部３５の下側から両操作部５９を親指と中指とにより内向きに把持する等によって、遊技盤５の裏側から離脱方向に操作可能である。
　　　【００３０】
　遊技盤５の装着孔２２側には、各加圧固定部材４９，５０の圧接部５１，５２に対応して受け部６３，６４が左右両側に設けられている。各受け部６３，６４は、加圧固定部材４９，５０の圧接部５１，５２の圧接方向（左右方向）に対して略直角方向（上下方向）に形成されており、左右の受け部６３，６４同士は略平行に設定されている。
　　　【００３１】
　装着孔２２の上側の加圧固定部材４９に対応する部分には、図４及び図６（Ａ）に示すように、遊技盤５の裏側から凹部６５ａが形成され、その凹部６５ａの内端隅部に各圧接部５１の圧接傾斜面５１ｂがバネ部５５のバネ圧により圧接するようになっている。また装着孔２２の下側の加圧固定部材５０に対応する部分には、凹部６５ａに相当する部分がなく、裏側の隅部の各圧接部５２の圧接傾斜面５２ｂがバネ部５６のバネ圧により圧接するようになっている。
　　　【００３２】
　装着孔２２は、上下方向の中間部分の左右方向の寸法が支持枠体２７の左右方向の寸法に合わせて、その上下両側の受け部６３，６４間の間隔よりも大になっている。各圧接傾斜面５１ｂ，５２ｂは、圧接部５１，５２が装着孔２２側の受け部６３，６４側に圧接する時の圧接力により、前飾り板２８が遊技盤５の前面に押圧するように分力を生じさせるためのものである。
　　　【００３３】
　支持枠体２７は、図４及び図７に示すように、遊技盤５の前面に当接する当接部６６，６７を上下両端に一体に備え、その各当接部６６，６７に位置決め手段２６を構成する１個〜複数個の位置決め突起６８，６９が後向きに突設されている。一方、遊技盤５側には、各位置決め突起６８，６９に対応して所定数の位置決め凹部７０が形成されている。なお、位置決め凹部７０はポンチ孔等により構成しても良いし、ドリル孔等により構成しても良い。
　　　【００３４】
　上記構成の液晶式表示手段１３を遊技盤５に装着する場合には、次のような方法で圧入する。先ず遊技盤５側に所定形状の装着孔２２と位置決め凹部７０とを形成しておく。勿論、大入賞手段１８、その他の各遊技部品に対応する装着孔２２、その他を加工しておくことは言うまでもない。
　　　【００３５】
　次に液晶式表示手段１３の遊技部品本体２３側を遊技盤５の前面から装着孔２２に合わせて、この液晶式表示手段１３を圧入方法により遊技盤５に装着する。液晶式表示手段１３の圧入に際しては、遊技部品本体２３の後端側の液晶表示部３２、駆動ユニット３３等を遊技盤５の装着孔２２に挿入し、各加圧固定手段２４，２５を構成する加圧固定部材４９，５０の両端の圧接部５１，５２を、各受け部６３，６４に対応する位置で遊技盤５の装着孔２２の口縁に当接させた後、その状態で遊技部品本体２３を前面側から遊技盤５側に押圧して装着孔２２内に圧入する。
　　　【００３６】
　遊技部品本体２３を遊技盤５側に押圧すると、各加圧固定部材４９，５０の圧接部５１，５２に形成された案内傾斜面５１ａ，５２ａが遊技盤５の口縁に沿って摺動するので、各圧接部５１，５２がバネ部５５，５６に抗して内側へと後退しながら装着孔２２の内面に沿って裏側へと摺動する。そして、圧接部５１，５２の案内傾斜面５１ａ，５２ａと圧接傾斜面５１ｂ，５２ｂとの境界部分が受け部６３，６４を通過した時点で、圧接部５１，５２がバネ部５５，５６のバネ力によって外方に突出し、その圧接傾斜面５１ｂ，５２ｂが装着孔２２の受け部６３，６４に圧接する。
　　　【００３７】
　この圧接状態では、加圧固定部材４９，５０のバネ部５５，５６のバネ力が圧接部５１，Ｌ５２に作用しているため、圧接傾斜面５１ｂ，５２ｂにより遊技部品本体２３を遊技盤５側に付勢する分力が働き、その前飾り板２８が遊技盤５の前面に押圧する。このため大型の液晶式表示手段１３であるにも拘わらず、圧入方式により各加圧固定手段２４，２５を介して液晶式表示手段１３を遊技盤５にガタツキなく容易且つ確実に固定できる。
　　　【００３８】
　また前飾り板２８の位置決め突起６８，６９と遊技盤５の位置決め凹部７０との位置を予め合わせておけば、各加圧固定部材４９，５０の圧接部５１，５２の圧接傾斜面５１ｂ，５２ｂが受け部６３，６４に当接する前の時点で位置決め突起６８，６９の先端が位置決め凹部７０に嵌合し、これで液晶式表示手段１３の遊技盤５に対する装着位置を確実に位置決めできる。特に位置決め突起６８，６９が支持枠体２７の上下にあるため、液晶式表示手段１３の上下とも確実に位置決めできる。
　　　【００３９】
　遊技盤５に装着後の液晶式表示手段１３を取り外す場合には、遊技盤５の裏側から下側の加圧固定部材４９，５０を操作して、その各圧接部５１，５２を装着孔２２の各受け部６３，６４から離脱させる。即ち、下側の加圧固定部材５０の両操作部５９をバネ部５６のバネカに抗して把持すると、バネ部５６の弾性変形により両圧接部５２が装着孔２２の受け部６４から内側に離脱するので、その状態で遊技部品本体２３の下部側を前側に押し、各圧接部５２を装着孔２２の内面に沿って摺動させながら、液晶式表示手段１３の下部側が前方に突出するように、液晶式表示手段１３全体を装着孔２２内で傾斜させて行く。
　　　【００４０】
　そして、液晶式表示手段１３を傾斜させながらか、又は液晶式表示手段１３がある程度傾斜した状態で、装着孔２２内において液晶式表示手段１３全体を若干下方へと移動させると、上側の加圧固定部材５０の各圧接部５２が装着孔２２の上側の受け部６３から下側に離脱するので、各加圧固定手段２４，２５による液晶式表示手段１３の固定を解除でき、液晶式表示手段１３を装着孔２２から前側へと抜き取れば良い。
　　　【００４１】
　加圧固定手段２４，２５が遊技部品本体２３の廻りに周方向の４個あり、その各圧接部５１，５２をバネ部５５，５６のバネ圧で装着孔２２の内面に圧接させているので、この各加圧固定手段２４，２５により液晶式表示手段１３を確実に固定できる。また周方向に４個の加圧固定手段２４，２５の内、左右に相対応する２個の加圧固定手段２４，２５は、一体構造の加圧固定部材４９，５０により構成しているので、左右の各加圧固定手段２４，２５を別々に独立して設ける場合に比較して、遊技部品本体２３側を含む全体の構造を簡単にできる。
　　　【００４２】
　しかも各加圧固定部材４９，５０は、連結部５３，５４の両側にバネ部５５，５６を介して圧接部５１，５２を設けた一体構造であるため、加圧固定部材４９，５０自体の構造が簡単で製作が容易であると共に、その組み込み等も容易にできる。上側の加圧固定部材４９は、連結部５３の両側にΩ状等に屈曲するバネ部５５を介して圧接部５１を設け、各部が一定幅内に納まるように全体として帯状に構成しているので、支持枠体２７側の保持部５８の幅が狭い場合でも、その加圧固定部材４９を保持部５８に容易にセットでき、コンパクトに纏めることができる。
　　　【００４３】
　一方、下側の加圧固定部材５０は、左右方向に長い連結部５４の両側にバネ部５６、操作部５９を介して圧接部５２を設けた略コ字状であるため、バネ部５６のバネカの確保が容易であると共に、各圧接部５２を装着孔２２の受け部６４から離脱させる時の離脱操作を容易にできる。更に加圧固定部材５０がコ字状であるため、ステージ収容部３５を迂回又は取り囲むように加圧固定部材５０を配置する等、加圧固定部材５０を貫通させて配置できない箇所に便利である。
　　　【００４４】
　また下側の加圧固定部材５０を保持する保持部は、長孔６２，６５と突起６０，６６との組み合わせにより構成しているので、その構造を簡単にしつつも加圧固定部材４９，５０を確実に保持できる。
　　　【００４５】
　ゲーム中に入口４２に遊技球が入球した場合は、その遊技球は通過路４４、出口４８を経て球案内ステージ３６へと案内された後、球案内ステージ３６から遊技盤５の前側に落下する。球案内ステージ３６はステージ収容部３５に対して着脱自在であり、異なる種類の球案内ステージ３６に適宜交換することが可能である。
　　　【００４６】
　以上、本発明の各実施形態について説明したが、本発明はこれに限定されるものではない。実施形態では、液晶式表示手段１３を遊技盤５に装着する場合について例示しているが、遊技盤５に装着する他の遊技部品（例えば大入賞手段１８等）でも同様に実施可能であり、また遊技盤５以外の部材（例えば前枠２）に他の遊技部品を装着する場合でも同様に実施可能である。
　　　【００４７】
　加圧固定手段２４，２５を圧接部５１，５２とバネ部５５，５６とにより構成し、この加圧固定手段２４，２５を遊技部品本体２３に周方向に複数個設けても良い。その場合、左右に相対応する加圧固定手段２４，２５があっても、その各加圧固定手段２４，２５は互いに独立させて設ければ良い。加圧固定手段２４，２５を構成する加圧固定部材４９，５０は、実施形態に例示する以外の構造、形状でも良い。また上側の加圧固定部材４９の場合には、中央部分で左右に２分割しても良い。
　　　【００４８】
　２個以上の加圧固定部材４９，５０を設ける場合、その加圧固定手段４９，５０は遊技部品本体２３に対して平行に設ける他、斜め方向に交差方向に配置しても良い。但し、加圧固定部材４９，５０が直接干渉しないように設けることが望ましい。保持部５８等は、加圧固定手段２４，２５の加圧固定部材４９，５０を着脱自在な状態等に保持し得る構造であれば良い。位置決め手段２６の位置決め突起６８，６９は、遊技部品本体２７の左右両側に設けても良い。圧入後に前飾り板２８をネジで遊技盤５に固定するように、圧入方式とネジ止め方式とを併用しても良い。
　　　【００４９】
　本発明はパチンコ機、アレンジボール機等の弾球遊技機は勿論のこと、回胴式遊技機等の各種の遊技機においても同様に実施可能であることは言うまでもない。
　　　【００５０】
　　【発明の効果】
　本発明では、遊技盤等の所要部材５の装着孔２２に圧入して装着するようにした遊技機用の遊技部品において、所要部材５の装着孔２２に挿入される遊技部品本体２３と、遊技部品本体２３にその内外方向に出退自在に設けられ且つ装着孔２２の内面に内側から圧接して該遊技部品本体２３を所要部材５に固定する加圧固定手段２４，２５と、遊技部品本体２３を所要部材５に対して位置決めする位置決め手段２６とを
備え、加圧固定手段２４，２５は、両端の圧接部５１，５２と、この両圧接部５１，５２間に設けられ且つ各圧接部５１，５２を装着孔２２の内面に向かって外方に付勢するバネ部５５，５６とを一体に有する加圧固定部材４９，５０を備え、加圧固定部材４９，５０を遊技部品本体２３に着脱自在に備え
　　　【００５１】
　また
加圧固定部材４９，５０は、装着孔２２の内面に圧接する両端の圧接部５１，５２と、左右中央側の連結部５３，５４と、この連結部５３，５４と各圧接部５１，５２との間に介在され且つ各圧接部５１，５２を装着孔２２の内面に向かって外方に付勢するバネ部５５，５６とを備え、この加圧固定部材４９，５０
　　　【００５２】
　しかも加圧固定手段２４，２５は、両端側の圧接部５１，５２と、両圧接部５１，５２間のバネ部５５，５６とが一体に形成された加圧固定部材４９，５０を備えているので、加圧固定手段２４，２５自体の構造が簡単であり、容易且つ安価に製作でき、また部品点数を少なくできる。
　　　【００５３】
　更に加圧固定部材４９，５０を遊技部品本体２３に間隔を置いて略平行に複数個設けているので、遊技部品本体２３に加圧固定手段２４，２５を容易に設けることができる。
　　　【００５４】
　また遊技部品本体２３に、遊技盤５の前面に当接する前飾り板２８を設け、この前飾り板２８に、遊技盤５の位置決め凹部７０に嵌合する位置決め突部６８，６９を設け、加圧固定手段２４，２５に、遊技盤５の装着孔２２の内面側に圧接する時の圧接力により、前飾り板２８が遊技盤５の前面に押圧するように分力を生じさせる傾斜面５１ｂ，５２ｂを設けているので、遊技部品本体２３の前飾り板２８が遊技盤５に確実に当接し、またその状態で遊技部品本体２３を確実に位置決めできる。
　　　【００５５】
　加圧固定部材４９，５０は、バネ部５５，５６に抗して圧接部５１，５２が装着孔２２の内面から離脱するように遊技盤５の裏側から離脱方向に操作可能であるので、遊技部品本体２３を遊技盤５から容易に離脱できる。
　　　【００５６】
　更に遊技盤等の所要部材５の装着孔２２に圧入して遊技部品１３を装着した遊技機において、遊技部品１３は、その遊技部品本体２３を所要部材５の装着孔２２に挿入した時に両端の圧接部５１，５２が装着孔２２の内面に内側から圧接して、該遊技部品本体２３を所要部材５に固定する複数個の加圧固定部材４９，５０と、遊技部品本体２３を所要部材５に対して位置決めする位置決め手段２６とを備え、所要部材５の装着孔２２に、加圧固定部材４９，５０の圧接方向に対して略直角方向の受け部６３，６４を
設け、加圧固定部材４９，５０は、両端の圧接部５１，５２と、この両圧接部５１，５２間に設けられ且つ各圧接部５１，５２を装着孔２２の内面に向かって外方に付勢するバネ部５５，５６とを一体に備え、この加圧固定部材４９，５０を遊技部品本体２３に着脱自在に備え
【図面の簡単な説明】
　　【図１】
　本発明の一実施形態を示す弾球遊技機の斜視図である。
　　【図２】
　本発明の一実施形態を示す遊技盤の正面図である。
　　【図３】
　本発明の一実施形態を示す液晶式表示手段の一部破断正面図である。
　　【図４】
　本発明の一実施形態を示す液晶式表示手段の一部破断背面図である。
　　【図５】
　本発明の一実施形態を示す液晶式表示手段の装着状態の断面図である。
　　【図６】
　（Ａ）は本発明の一実施形態を示す上側の加圧固定手段部分の断面図、（Ｂ）はその要部の拡大図である。
　　【図７】
　本発明の一実施形態を示す下側の加圧固定手段部分の断面図である。
　　【図８】
　本発明の一実施形態を示す下側の加圧固定手段部分の一部破断底面図である。
　　【符号の説明】
　５　遊技盤（所要部材）
　１３　液晶式表示手段（遊技部品）
　２２　装着孔
　２３　遊技部品本体
　２４，２５　加圧固定手段
　２６　位置決め手段
　２８　前飾り板
　４９，５０　加圧固定部材
　５１，５２　圧接部
　５１ｂ，５２ｂ　傾斜面
　５５，５６　バネ部
　６３，６４　受け部
　６８，６９　位置決め突部
　７０　位置決め凹部